【手続補正書】
【提出日】令和2年7月1日(2020.7.1)
【手続補正１】
【補正対象書類名】特許請求の範囲
【補正対象項目名】請求項１
【補正方法】変更
【補正の内容】
【請求項１】
投影領域（ＰＡ）への光の投影によって虚像（Ｖｉ）が表示される車両（Ａ）において用いられ、前記虚像の表示を制御する表示制御装置であって、
前記車両の前景中にある特定物体に関連づけて虚像表示される特定表示物（１１）の特定描画データ（ＤＳ１）を準備する描画データ準備部（５１）と、
前記車両の姿勢に関連する姿勢情報を取得する姿勢情報取得部（５２）と、
前記車両の姿勢変化に伴う前記特定表示物の前記特定物体に対する表示ずれが低減されるように、前記特定描画データの準備後に取得された前記姿勢情報を用いて、前記特定描画データに対して行う姿勢補正の内容を設定する姿勢補正設定部（５３）と、
前記投影領域への光の投影に伴う前記虚像の歪みが低減されるように、前記姿勢補正設定部にて前記姿勢補正の内容が設定された後に、前記特定描画データに対して行う歪み補正の内容を設定する歪み補正設定部（５４）と、を備える表示制御装置。
【手続補正２】
【補正対象書類名】特許請求の範囲
【補正対象項目名】請求項３
【補正方法】変更
【補正の内容】
【請求項３】
投影領域（ＰＡ）への光の投影によって虚像（Ｖｉ）が表示される車両（Ａ）において用いられ、前記虚像の表示を制御する表示制御装置であって、
前記車両の前景中にある特定物体に関連づけて虚像表示される特定表示物（１１）の特定描画データ（ＤＳ１）、及び前記特定表示物とは異なる別表示物（１２）の別描画データ（ＤＳ２，ＤＳ３）を準備する描画データ準備部（５１）と、
前記車両の姿勢に関連する姿勢情報を取得する姿勢情報取得部（５２）と、
前記車両の姿勢変化に伴う前記特定表示物の前記特定物体に対する表示ずれが低減されるように、前記姿勢情報を用いて、前記特定描画データに対して行う姿勢補正の内容を設定する姿勢補正設定部（５３）と、
前記姿勢補正設定部にて設定された内容の前記姿勢補正が適用された前記特定描画データと、前記別描画データとを合成する画像合成部（５５）と、
前記投影領域への光の投影に伴う前記虚像の歪みが低減されるように、前記姿勢補正が適用された前記特定描画データ及び前記姿勢補正が適用されない前記別描画データの両方に纏めて適用される歪み補正の内容を設定する歪み補正設定部（５４）と、を備える表示制御装置。
【手続補正３】
【補正対象書類名】特許請求の範囲
【補正対象項目名】請求項１６
【補正方法】変更
【補正の内容】
【請求項１６】
投影領域（ＰＡ）への光の投影によって虚像（Ｖｉ）が表示される車両（Ａ）において用いられ、前記虚像の表示を制御する表示制御プログラムであって、
少なくとも一つのプロセッサ（５０ａ，５５０ａ，６５０ａ）を、
前記車両の前景中にある特定物体に関連づけて虚像表示される特定表示物（１１）の特定描画データ（ＤＳ１）を準備する描画データ準備部（５１）と、
前記車両の姿勢に関連する姿勢情報を取得する姿勢情報取得部（５２）と、
前記車両の姿勢変化に伴う前記特定表示物の前記特定物体に対するずれが低減されるように、前記特定描画データの準備後に取得された前記姿勢情報を用いて、前記特定描画データに対して行う姿勢補正の内容を設定する姿勢補正設定部（５３）と、
前記投影領域への光の投影に伴う前記虚像の歪みが低減されるように、前記姿勢補正設定部にて前記姿勢補正の内容が設定された後に、前記特定描画データに対して行う歪み補正の内容を設定する歪み補正設定部（５４）と、を含む構成として機能させる表示制御プログラム。
【手続補正４】
【補正対象書類名】特許請求の範囲
【補正対象項目名】請求項１７
【補正方法】変更
【補正の内容】
【請求項１７】
投影領域（ＰＡ）への光の投影によって虚像（Ｖｉ）が表示される車両（Ａ）において用いられ、前記虚像の表示を制御する表示制御プログラムであって、
少なくとも一つのプロセッサ（５０ａ，５５０ａ，６５０ａ）を、
前記車両の前景中にある特定物体に関連づけて虚像表示される特定表示物（１１）の特定描画データ（ＤＳ１）、及び前記特定表示物とは異なる別表示物（１２）の別描画データ（ＤＳ２，ＤＳ３）を準備する描画データ準備部（５１）と、
前記車両の姿勢に関連する姿勢情報を取得する姿勢情報取得部（５２）と、
前記車両の姿勢変化に伴う前記特定表示物の前記特定物体に対するずれが低減されるように、前記姿勢情報を用いて、前記特定描画データに対して行う姿勢補正の内容を設定する姿勢補正設定部（５３）と、
前記姿勢補正設定部にて設定された内容の前記姿勢補正が適用された前記特定描画データと、前記別描画データとを合成する画像合成部（５５）と、
前記投影領域への光の投影に伴う前記虚像の歪みが低減されるように、前記姿勢補正が適用された前記特定描画データ及び前記姿勢補正が適用されない前記別描画データの両方に纏めて適用される歪み補正の内容を設定する歪み補正設定部（５４）と、を含む構成として機能させる表示制御プログラム。
【手続補正５】
【補正対象書類名】明細書
【補正対象項目名】０００５
【補正方法】変更
【補正の内容】
【０００５】
本開示は、車両の姿勢変化に対応する補正が実施されても、歪みの抑制された虚像を表示可能な表示制御装置及び表示制御プログラムの提供を目的とする。
【手続補正６】
【補正対象書類名】明細書
【補正対象項目名】０００６
【補正方法】変更
【補正の内容】
【０００６】
上記目的を達成するため、開示された一つの態様は、投影領域（ＰＡ）への光の投影によって虚像（Ｖｉ）が表示される車両（Ａ）において用いられ、虚像の表示を制御する表示制御装置であって、車両の前景中にある特定物体に関連づけて虚像表示される特定表示物（１１）の特定描画データ（ＤＳ１）を準備する描画データ準備部（５１）と、車両の姿勢に関連する姿勢情報を取得する姿勢情報取得部（５２）と、車両の姿勢変化に伴う特定表示物の特定物体に対する表示ずれが低減されるように、特定描画データの準備後に取得された姿勢情報を用いて、特定描画データに対して行う姿勢補正の内容を設定する姿勢補正設定部（５３）と、投影領域への光の投影に伴う虚像の歪みが低減されるように、姿勢補正設定部にて姿勢補正の内容が設定された後に、特定描画データに対して行う歪み補正の内容を設定する歪み補正設定部（５４）と、を備える表示制御装置とされる。
【手続補正７】
【補正対象書類名】明細書
【補正対象項目名】０００７
【補正方法】変更
【補正の内容】
【０００７】
また開示された一つの態様は、投影領域（ＰＡ）への光の投影によって虚像（Ｖｉ）が表示される車両（Ａ）において用いられ、虚像の表示を制御する表示制御プログラムであって、少なくとも一つのプロセッサ（５０ａ，５５０ａ，６５０ａ）を、車両の前景中にある特定物体に関連づけて虚像表示される特定表示物（１１）の特定描画データ（ＤＳ１）を準備する描画データ準備部（５１）と、車両の姿勢に関連する姿勢情報を取得する姿勢情報取得部（５２）と、車両の姿勢変化に伴う特定表示物の特定物体に対するずれが低減されるように、特定描画データの準備後に取得された姿勢情報を用いて、特定描画データに対して行う姿勢補正の内容を設定する姿勢補正設定部（５３）と、投影領域への光の投影に伴う虚像の歪みが低減されるように、姿勢補正設定部にて姿勢補正の内容が設定された後に、特定描画データに対して行う歪み補正の内容を設定する歪み補正設定部（５４）と、を含む構成として機能させる表示制御プログラムとされる。
【手続補正８】
【補正対象書類名】明細書
【補正対象項目名】０００９
【補正方法】変更
【補正の内容】
【０００９】
さらに、開示された一つの態様は、投影領域（ＰＡ）への光の投影によって虚像（Ｖｉ）が表示される車両（Ａ）において用いられ、虚像の表示を制御する表示制御装置であって、車両の前景中にある特定物体に関連づけて虚像表示される特定表示物（１１）の特定描画データ（ＤＳ１）、及び特定表示物とは異なる別表示物（１２）の別描画データ（ＤＳ２，ＤＳ３）を準備する描画データ準備部（５１）と、車両の姿勢に関連する姿勢情報を取得する姿勢情報取得部（５２）と、車両の姿勢変化に伴う特定表示物の特定物体に対する表示ずれが低減されるように、姿勢情報を用いて、特定描画データに対して行う姿勢補正の内容を設定する姿勢補正設定部（５３）と、姿勢補正設定部にて設定された内容の姿勢補正が適用された特定描画データと、別描画データとを合成する画像合成部（５５）と、投影領域への光の投影に伴う虚像の歪みが低減されるように、姿勢補正が適用された特定描画データ及び姿勢補正が適用されない別描画データの両方に纏めて適用される歪み補正の内容を設定する歪み補正設定部（５４）と、を備える表示制御装置とされる。
【手続補正９】
【補正対象書類名】明細書
【補正対象項目名】００１０
【補正方法】変更
【補正の内容】
【００１０】
また開示された一つの態様は、投影領域（ＰＡ）への光の投影によって虚像（Ｖｉ）が表示される車両（Ａ）において用いられ、虚像の表示を制御する表示制御プログラムであって、少なくとも一つのプロセッサ（５０ａ，５５０ａ，６５０ａ）を、車両の前景中にある特定物体に関連づけて虚像表示される特定表示物（１１）の特定描画データ（ＤＳ１）、及び特定表示物とは異なる別表示物（１２）の別描画データ（ＤＳ２，ＤＳ３）を準備する描画データ準備部（５１）と、車両の姿勢に関連する姿勢情報を取得する姿勢情報取得部（５２）と、車両の姿勢変化に伴う特定表示物の特定物体に対するずれが低減されるように、姿勢情報を用いて、特定描画データに対して行う姿勢補正の内容を設定する姿勢補正設定部（５３）と、姿勢補正設定部にて設定された内容の姿勢補正が適用された特定描画データと、別描画データとを合成する画像合成部（５５）と、投影領域への光の投影に伴う虚像の歪みが低減されるように、姿勢補正が適用された特定描画データ及び姿勢補正が適用されない別描画データの両方に纏めて適用される歪み補正の内容を設定する歪み補正設定部（５４）と、を含む構成として機能させる表示制御プログラムとされる。